(57)【要約】【課題】コンクリート基礎部に転倒防止用金具が配置され、転倒防止が施された外柵を有する墓を開発する。【解決手段】ステンレスなどの防銹性に優れた金属からなる天板と脚部、脚部先端に折り返し部を有した机型の転倒防止用金具が、コンクリート基礎部表面と水平になるように配置され外柵石と転倒防止金具を弾性エポキシ系接着剤、または変成シリコン弾性接着剤で接着し転倒防止が施された墓。【選択図】図６
2012122314.tif 000002
【特許請求の範囲】
【請求項１】
コンクリート基礎部にステンレスなどの防銹性に優れた金属からなる天板と脚部、脚部先端に折り返し部を有した机型の転倒防止用金具がコンクリート表面と水平に配置され、その表面に接着剤を塗布、その上に外柵石材を設置し接着して転倒防止が施された外柵を有する墓。
【請求項２】
請求項１に記載の墓において、ステンレスなどの防銹性に優れた金属からなる転倒防止用金具は、天板と脚部、脚部先端に折り返し部を有した机型が形成されていることを特徴とする墓。
【請求項３】
請求項１〜２のいずれかに記載の墓において、転倒防止用金具は、ステンレスなどの防銹性に優れた金属を一枚の金属板より裁断し、天板と脚部、脚部先端に折り返し部を有した机型の形状に成形したことを特徴とする墓。
【請求項４】
請求項１〜３のいずれかに記載の墓において、転倒防止用金具と外柵石を接着するための材料は、弾性エポキシ系接着剤、または変成シリコン弾性接着剤などの金属と石材の接着に優れた材料であることを特徴とする墓。
【請求項５】
請求項１〜４のいずれかに記載の墓おいて、転倒防止用金具は外柵石を並べて配置する繋ぎ目の下部のコンクリート基礎部にコンクリート表面と水平に配置されたことを特徴とする墓
【発明の詳細な説明】
【技術分野】
【０００１】  本発明は、転倒防止用具により転倒防止が施された外柵を有する墓に関する。
【背景技術】
【０００２】  従来、墓の外柵石をコンクリート打設した基礎部に設置する際、コンクリート基礎部の表面にモルタルとエポキシ樹脂系接着剤を塗布し、その上に外柵石を置き固定し、振動を吸収したり、移動を制限したりして転倒を防止する試みが行われている。また、コンクリートならびに外柵石材に円柱形の穴をハンマードリルなどであけ、打ち込みアンカーを埋め込み、コンクリート基礎部と外柵石に貫通させ転倒を防止する方法も用いられている。
しかし、前記コンクリートに直接接着剤を塗布する方法は、コンクリートは引張力に弱く表面が剥れ易いという特性があり、転倒防止などの効果が減少してしまう。また打ち込みアンカーを使用する方法では、施工方法が複雑となる欠点や、外柵石に穴をあける際に石材を破損する虞や、修理や移動の際の着脱が煩雑となる欠点がある。
【発明の概要】
【発明が解決しようとする課題】
【０００３】  以上に述べた従来の墓では、コンクリートに直接接着剤を塗布する方法は、コンクリートは引張力に弱く表面が剥れ易いという特性があり、転倒防止などの効果が減少してしまう。また打ち込みアンカーを使用する方法では、施工方法が複雑となる欠点や、外柵石に穴をあける際に石材を破損する虞や、修理や移動の際の着脱が煩雑となる欠点がある。【０００４】  そこで本発明の目的は、コンクリート基礎部にステンレスなどの防銹性に優れた金属からなる天板と脚部、脚部先端に折り返し部を有した机型の転倒防止用金具がコンクリート表面と水平に配置され、転倒防止が施された外柵を有する墓の開発にあたる。
【課題を解決するための手段】
【０００５】  本発明の転倒防止が施された外柵を有する墓は、以下を特徴とするものである。
（１）ステンレスなどの防銹性に優れた金属からなる天板と脚部、脚部先端に折り返し部を有した机型の転倒防止用金具が、コンクリート基礎部表面と水平になるように配置され外柵石と転倒防止金具を弾性エポキシ系接着剤、または変成シリコン弾性接着剤で接着し転倒防止が施された外柵を有する墓。
（２）上記（１）に記載の墓において、転倒防止用金具はステンレスなどの防銹性に優れた金属からなる天板と脚部、脚部先端に折り返し部を有した机型を特徴とする。
（３）上記（１）〜（２）のいずれかに記載の墓において、転倒防止用金具は、ステンレスなどの防銹性に優れた金属を一枚の金属板より裁断し、天板と脚部、脚部先端に折り返し部を有した机型の形状に成形したものからなることを特徴とする墓石。
（４）上記（１）〜（３）のいずれかに記載の墓において、外柵石と転倒防止用金具を接着するための材料は、弾性エポキシ系接着剤、または変成シリコン弾性接着剤などの金属と石材の接着に優れた材料であることを特徴とする墓。（５）上記（１）〜（４）のいずれかに記載の墓おいて、転倒防止用金具は外柵石を並べて配置する繋ぎ目の下部のコンクリート基礎部にコンクリート表面と水平に配置されたことを特徴とする墓。【０００６】  従来転倒防止用に行われてきた、墓の外柵石をコンクリート打設した基礎部に設置する際にコンクリートの表面にモルタルとエポキシ樹脂系接着剤を塗布し、その上に外柵石を置き固定し、振動を吸収したり、移動を制限したりして転倒を防止する試みは地震等の振動エネルギーをコンクリート表面のみで制御することとなり、コンクリートが引張力に弱く表面が剥れ易いという特性があることから効果が減少、また長期の使用に耐えない欠点があり、コンクリート基礎部に円柱形の穴、外柵石材に同様の穴をハンマードリルなどであけ、打ち込みアンカーを貫通させ埋め込む方法では、施工方法が複雑となる欠点や、外柵石に穴をあける際に石材を破損する虞や、修理や移動の際の着脱が煩雑となる欠点がある。そこで本発明はコンクリート基礎部にステンレスなどの防銹性に優れた金属からなる天板と脚部、脚部先端に折り返し部を有した机型の転倒防止用金具を用いる。ステンレスなどの防銹性に優れた金属からなる転倒防止用金具を用いることで、気候変化に強く長期使用が可能となり、また外柵石材転倒防止用金具の接着力に優れた接着剤で接着することにより、地震などの振動エネルギーを抑制する効果が高い。転倒防止用金具は脚部先端に折り返し部を有する机型であり、それをコンクリート基礎部に施工時に埋め込むことにより、コンクリート自体の移動を制限する効果も発揮される。また修理や移動の際、着脱が容易で外柵石を損傷する虞が少ない。【０００７】  本発明において、転倒防止用金具に使用される材質は、ステンレスなどからなる防銹性に優れた金属からなる。この金具は基礎コンクリート打設の際、外柵石同士のつなぎ目の下となる部分にコンクリート表面と水平になるよう配置する。その表面部分に弾性エポキシ系接着剤、または変成シリコン弾性接着剤などからなる接着剤を塗布し、その上部に外柵石を設置し、外柵石と転倒防止用金具を接着する。外柵石の荷重が垂直方向にかかることで、金属と石材の接着力を強固にし、転倒防止効果を発揮する。【０００８】  本発明において、転倒防止用金具の厚みは１．５ｍｍ以上が好ましい。１．５ｍｍより薄いと金具が変形しやすくなるため転倒防止の効果は減少する。【０００９】  本発明において使用する金属としては、ステンレスなどの防銹性に優れた金属をあげることができる。【００１０】  本発明においては、転倒防止用金具は外柵石下部の全面に設置する必要はない。【００１１】  本発明においては、外柵石はコンクリート基礎部に設置する際、転倒防止用金具と接着する。この金具により外柵石材が基礎部分と強固に接着され、地震のエネルギーをより多く分散・吸収し、外柵石の倒壊を保護すると解される。コンクリートに接着剤を塗布する方法では、接着力の効果が弱く、本発明の場合より劣る。【００１２】  本発明においては、墓の修理や移動のために、外柵石と転倒防止用金具を分離する際、ノコギリやカッターナイフその他の簡易な切断工具を用いて容易に且つ石材を傷つけることなく取り外すことができる。打ち込みアンカーなどの金属棒を貫通させるものは作業が煩雑となり、また石材を傷つける虞があり、本発明の場合より劣る。【００１３】  本発明の転倒防止用金具と外柵石を接着するのに使用される接着剤としては、弾性エポキシ系接着剤、または変成シリコン弾性接着剤などをあげることができる。
【発明の効果】
【００１４】以上の説明によって明らかなように、本発明による転倒防止が施された外柵を有する墓は、以下に挙げた通り、実用上の好ましい効果がある。
（ａ）簡単な施工方法で、費用も低く抑えることが可能である。
（ｂ）防銹性に優れた金属を使用することにより、長期にわたり転倒防止効果が得られる。
（ｃ）施工の際、外柵石を損傷する虞が少ない。
（ｄ）修理や移動の際に外柵石の着脱が容易であり且つ石材を傷つけることなく施工が可能である。
（ｅ）転倒防止用金具と外柵石を接着することにより、接着剤の効果を高め転倒防止に効果を発揮する。
（ｆ）コンクリート内部に転倒防止用金具を設置することにより、移動を制限する効果が発揮される。
【図面の簡単な説明】
【００１５】
【図１】転倒防止用金具１の模式図である。
【図２】転倒防止用金具１の模式正面図である。
【図３】転倒防止用金具１の模式側面図である。
【図４】墓２に基礎コンクリート３を打設し、転倒防止用金具１をコンクリート表面と水平に設置した状態の部分透過平面図である。
【図５】墓２に基礎コンクリート３を打設し、転倒防止用金具１をコンクリート表面と水平に設置した状態の模式断面図である。
【図６】［図５］の転倒防止用金具の１表面に接着剤４を塗布し、その上に外柵石５、外柵石６、外柵石７、外柵石８、外柵石９、外柵石１０、外柵石１１を設置した場合の部分透過平面図である。
【図７】［図６］における模式断面図である。
【発明を実施するための形態】
【００１６】  墓２の土台となる基礎コンクリート３を打設し、その内部に、ステンレスなどの防銹性に優れた金属からなる図１の転倒防止用金具１を図５に示すように外柵石材同士が隣接するつなぎ目の下部６ケ所にコンクリート表面と水平になるよう設置し、図６、図７に示すように転倒防止用金具１の表面に弾性エポキシ系接着剤、または変成シリコン弾性接着剤などの金属、石材の接着力に優れた接着剤４を塗布し、その上に外柵石５、外柵石６、外柵石７、外柵石８、外柵石９、外柵石１０、外柵石１１を設置し固定する。コンクリート内部に配置された転倒防止用金具１と外柵石５、外柵石６、外柵石７、外柵石８、外柵石９、外柵石１０、外柵石１１が接着剤４で強固に接着され、転倒防止用金具１が基礎コンクリート３の内部から外柵石を支える。これにより建立された墓１は地震などの振動に対して転倒しがたい。
【符号の説明】
【００１７】符号１  転倒防止用金具
符号２  墓
符号３  基礎コンクリート
符号４  接着剤
符号５  外柵石
符号６  外柵石
符号７  外柵石
符号８  外柵石
符号９  外柵石
符号１０  外柵石
符号１１  外柵石
【図１】
2012122314.tif 000003
【図２】
2012122314.tif 000004
【図３】
2012122314.tif 000005
【図４】
2012122314.tif 000006
【図５】
2012122314.tif 000007
【図６】
2012122314.tif 000008
【図７】
2012122314.tif 000009